(57)【要約】      （修正有）【課題】エラー信号を生成するメディアタイプの数を限定することで、スピンアップに要する時間を短縮する光ディスク装置を提供する。【解決手段】光ディスクの種類及び情報記録層の層数を判別する光ディスク判別部８と、前記光ディスク判別部８によって判別された前記光ディスクの種類及び情報記録層の層数に基づいて、前記光ディスクが予め分類されている複数のメディアタイプ群のいずれのメディアタイプ群に属するかを特定して、特定したメディアタイプ群についてエラー信号生成回路９、１０にトラッキングエラー信号及び／又はフォーカスエラー信号を生成させた後に前記光ディスクのメディアタイプを仮決定する制御部２と、仮決定されたメディアタイプに関するトラッキングエラー信号及び／又はフォーカスエラー信号に対してオフセット調整を行うオフセット調整手段と、を備える。【選択図】図１
2013004121.tif 000002
【特許請求の範囲】
【請求項１】
光源からのレーザー光を光ディスクの情報記録層面に集光させる光ピックアップと、
前記光ディスクの情報記録層面からの反射光に基づいてトラッキングエラー信号とフォーカスエラー信号の少なくとも一方を生成するエラー信号生成回路と、
前記光ディスクの種類及び情報記録層の層数を判別する光ディスク判別部と、
前記光ディスク判別部によって判別された前記光ディスクの種類及び情報記録層の層数に基づいて、前記光ディスクが予め分類されている複数のメディアタイプ群のいずれのメディアタイプ群に属するかを特定して、特定したメディアタイプ群について前記エラー信号生成回路にトラッキングエラー信号及び／又はフォーカスエラー信号を生成させた後に前記光ディスクのメディアタイプを仮決定する制御部と、
仮決定されたメディアタイプに関するトラッキングエラー信号及び／又はフォーカスエラー信号に対してオフセット調整を行うオフセット調整手段と、
を備えることを特徴とする光ディスク装置。
【請求項２】
メディアタイプ群は、光ディスクの種類毎に、所定層数以上の情報記録層を有するメディアタイプからなるメディアタイプ群と所定層数未満の情報記録層を有するメディアタイプからなるメディアタイプ群の２つに分類されていることを特徴とする請求項１に記載の光ディスク装置。
【請求項３】
前記制御部は、前記光ディスク判別部によって、前記光ディスクの種類がＢＤであると判別されたときは、当該ＢＤの情報記録層の層数が３層以上であるか否かに基づいて、当該ＢＤが属するメディアタイプ群がＢＤＸＬであるか否かを判定し、前記ＢＤが属するメディアタイプ群がＢＤＸＬであると特定されたときにはＢＤＸＬについて前記エラー信号生成回路にトラッキングエラー信号及び／又はフォーカスエラー信号を生成させ、前記ＢＤが属するメディアタイプ群がＢＤＸＬでないと特定されたときにはＢＤＳＬ及びＢＤＤＬについて前記エラー信号生成回路にトラッキングエラー信号及び／又はフォーカスエラー信号を生成させることを特徴とする請求項２に記載の光ディスク装置。
【請求項４】
前記制御部は、前記光ディスク判別部によって、前記光ディスクの種類がＤＶＤであると判別されたときは、当該ＤＶＤの情報記録層の層数が２層以上であるか否かに基づいて、当該ＤＶＤが属するメディアタイプ群がＤＶＤＤＬであるか否かを判定し、前記ＤＶＤが属するメディアタイプ群がＤＶＤＤＬであると特定されたときにはＤＶＤＤＬについて前記エラー信号生成回路にトラッキングエラー信号及び／又はフォーカスエラー信号を生成させ、前記ＤＶＤが属するメディアタイプ群がＤＶＤＤＬでないと特定されたときにはＤＶＤＳＬについて前記エラー信号生成回路にトラッキングエラー信号及び／又はフォーカスエラー信号を生成させることを特徴とする請求項２に記載の光ディスク装置。
【請求項５】
前記制御部は前記オフセット調整手段によるオフセット調整が行われた後に、前記光ディスクからメディアタイプを示す情報を含むアドレス情報を取得して、仮決定したメディアタイプと一致するか否かを判定し、仮決定したメディアタイプと一致しないときは、取得したメディアタイプのトラッキングエラー信号及び／又はフォーカスエラー信号に対してオフセット調整を行うことを特徴とする請求項１〜請求項４のいずれか１項に記載の光ディスク装置。
【発明の詳細な説明】
【技術分野】
【０００１】
本発明はＢＤ（Ｂｌｕ−Ｒａｙ Ｄｉｓｃ；登録商標）などの光ディスクに対応してデータの記録再生を行う光ディスク装置に関するものである。
【背景技術】
【０００２】
記録媒体である光ディスクとして、様々な種類の光ディスクが開発されている。代表的なものでは、ＣＤ（Ｃｏｍｐａｃｔ Ｄｉｓｃ）、ＤＶＤ（Ｄｉｇｉｔａｌ Ｖｅｒｓａｔｉｌｅ Ｄｉｓｃ）、ＢＤ等の光ディスクが存在する。このような複数種類の光ディスクに対して記録再生を行う光ディスク装置では、光ディスクの再生や記録に用いるレーザー光の波長、対物レンズの開口数、光ディスクのトラックピッチなどの仕様が、各光ディスクに対して規定されている。
【０００３】
従って、複数種類の光ディスクに対して記録再生を行う光ディスク装置では、光ディスク装置内に装着された光ディスクに対して記録再生を行う前に、その光ディスクの種類の判別を行い、光ディスクの種類に応じて適したレーザー光の波長、対物レンズの開口数、光ディスクのトラックピッチなどを選択している。
【０００４】
また、光ディスクは、情報の記録再生を行う情報記録層が単一の一層光ディスクの他、情報記録層を複数層とした複数層（多層化）光ディスクが開発されている。光ディスクが複数の情報記録層を備えることで、光ディスク一枚に記憶させることができる容量を増加させることができる。このような複数層光ディスクは一層光ディスクに比べて反射層におけるレーザー光の反射率が低くなる。従って、複数層光ディスクにおいて例えば記録されている情報を読み出すときには、再生レーザー光のパワーを高くし、強いレーザー光を照射する必要がある。
【０００５】
よって、光ディスクの記録再生を行う光ディスク装置は、記録再生を行う前に、上述した光ディスクの種類の判別に加え、その光ディスクが何層ディスクであるかについても判別する必要がある。
【０００６】
例えば特許文献１に記載されている光ディスク装置は、第１の速度で照射した光ビームが光ディスクによって反射されてなる反射光ビームに基づいて光ディスクの方式が第１の方式であるか否か判別する方式判別部を備えている。また、特許文献１に記載されている光ディスク装置は、第１の方式であると判別された光ディスク対して第１の速度よりも遅い第２の速度で光ビームを照射しながら対物レンズをフォーカス方向に移動させて、反射光ビームに基づいて情報記録層の層数に応じた数の記録層位置を検出させ、当該記録層位置の数に基づいて層数を判別する層数判別部を備えている。
【０００７】
また、特許文献２に記載されている光ディスク装置は、レーザー光源と、レーザー光を略平行光に変換するコリメートレンズと、レーザー光を光ディスクに光スポットとして集束させる対物レンズと、光スポットの球面収差を補正する球面収差補正手段と、光ディスクからの反射光を検出する光検出手段と、光ディスクの情報層の数を検出する層数検出手段と、検出した情報層の数を記憶するメモリ手段とを備えている。そして、光ディスクの層数を判別する方法は、球面収差補正手段に第１の球面収差補正値を設定しフォーカスサーチを行う第１のステップと、球面収差補正手段に第２の球面収差補正値を設定しフォーカスサーチを行う第２のステップとを備え、これらの判別結果に基づいて情報層の数を判別することとしている。
【０００８】
また、特許文献３に記載されている光ディスク装置は、対向レンズ開口数ＮＡ１、レーザー波長λを使用するディスクに対し、対向レンズ開口数ＮＡ２（ＮＡ１＞ＮＡ２）、レーザー波長λの組み合わせでレーザーを光ディスクに照射しながら対物レンズを駆動し、レーザー焦点が光ディスクを透過することで得られる戻り光の変動からＳ字カーブ及びＳ字カーブの数を取得し、光ディスクの判別及び記録層数を判別することが開示されている。
【０００９】
また、特許文献４に記載されている光ディスク装置は、フォーカスアクチュエータを揺動させて、光ディスクに照射された光の反射光から得られるフォーカスエラー信号により、その時のフォーカスエラー信号のＳ字カーブを時間との関係により、光ディスクの記録層数を判別することが開示されている。
【００１０】
ところで、光ディスクが装着される光ディスク装置は、上述したように、情報の記録及び再生を行うときに光ピックアップを使用している。光ピックアップは、レーザー光源、レーザー光源から出射されたレーザー光を光ディスク上に集光させる対物レンズ、対物レンズを移動可能に支持するアクチュエータなどを備えている。
【００１１】
光ディスク装置は光ディスクのトラックにレーザー光を照射してレーザスポットを形成し、その反射光を受光素子で受光して電気信号に変換している。そして、レーザー光の照射位置を光ディスクの情報記録層および層上のトラックに正確に追従させるために、その電気信号に基づいてトラッキングエラー信号やフォーカスエラー信号等を生成し、照射位置のフィードバック制御を行っている。
【００１２】
しかし、エラー信号の生成回路には多数の増幅器（アンプ）が含まれている。アンプには完全に防ぐことが困難な電気的オフセットが存在するため、生成されるエラー信号にはこのような電気的オフセットが重畳される。このようなエラー信号を用いてレーザー光の照射位置を制御すると、目的のトラックの中央からずれた位置で記録再生を行うことになり、記録再生品質を著しく低下させることになる。よって、従来の光ディスク装置は、情報の記録再生を行う前に電気的オフセットを予め調整するという対策を採用している。
【先行技術文献】
【特許文献】
【００１３】
【特許文献１】特開２００９−０７０４３１号公報
【特許文献２】特開２００６−３４４２６８号公報
【特許文献３】特開２００６−１３４３６７号公報
【特許文献４】特開２０００−０１１３８７号公報
【発明の概要】
【発明が解決しようとする課題】
【００１４】
このような電気的オフセット調整に必要なエラー信号の生成方式は、光ディスクの種類及びメディアタイプ毎に切り替える必要がある。従って、例えばＢＤを例に説明すると、ＢＤにはメディアタイプとして、再生専用のメディア媒体である１層〜２層のＢＤ−ＲＯＭ、一度だけ記録可能なメディア媒体である１層〜４層のＢＤ−Ｒ（ＢＤ−Ｒｅｃｏｒｄａｂｌｅ）、一度だけ記録可能なメディア媒体である１層のＢＤ−ＬＴＨ（ＢＤ−Ｌｏｗ Ｔｏ Ｈｉｇｈ）、何度も書き換え可能な１層〜４層のＢＤ−ＲＥ（ＢＤ−Ｒｅｗｒｉｔａｂｌｅ）の１１種類が実用化されており、１１通りの生成方式でエラー信号が生成される。
【００１５】
しかしながら、スピンアップ時に行われる光ディスク判別は、光ディスク装置に装着された光ディスクの種類を判別することはできるが、メディアタイプまで特定することはできず、例えば光ディスクがＢＤであると判別されても、そのメディアタイプまで特定できないことにより、上記１１種類の全てのメディアタイプに関するエラー信号を生成し、その後、オフセット調整処理を行うので、オフセット調整を行うまでの時間が長くなり、スピンアップに要する時間が長期化するという問題があった。
【００１６】
本発明は上述した問題点に鑑み、エラー信号を生成するメディアタイプの数を限定することで、スピンアップに要する時間を短縮する光ディスク装置を提供することを目的とする。
【課題を解決するための手段】
【００１７】
上記目的を達成するために本発明の光ディスク装置は、光源からのレーザー光を光ディスクの情報記録層面に集光させる光ピックアップと、前記光ディスクの情報記録層面からの反射光に基づいてトラッキングエラー信号とフォーカスエラー信号の少なくとも一方を生成するエラー信号生成回路と、前記光ディスクの種類及び情報記録層の層数を判別する光ディスク判別部と、前記光ディスク判別部によって判別された前記光ディスクの種類及び情報記録層の層数に基づいて、前記光ディスクが予め分類されている複数のメディアタイプ群のいずれのメディアタイプ群に属するかを特定して、特定したメディアタイプ群について前記エラー信号生成回路にトラッキングエラー信号及び／又はフォーカスエラー信号を生成させた後に前記光ディスクのメディアタイプを仮決定する制御部と、仮決定されたメディアタイプに関するトラッキングエラー信号及び／又はフォーカスエラー信号に対してオフセット調整を行うオフセット調整手段と、を備えることを特徴としている。
【００１８】
この構成によれば、制御部は、種類が特定された光ディスクが、予め分類されている複数のメディアタイプ群のいずれのメディアタイプ群に属するものであるか否かを特定し、特定されたメディアタイプ群についてエラー信号生成回路にトラッキングエラー信号とフォーカスエラー信号の少なくとも一方を生成させる。また、制御部は、光ディスクのメディアタイプを仮決定して、オフセット調整手段に、仮決定されたメディアタイプに関するトラッキングエラー信号及び／又はフォーカスエラー信号に対してオフセット調整を行わせる。従って、エラー信号生成回路にトラッキングエラー信号及び／又はフォーカスエラー信号を生成させるメディアタイプの数が制限されるので、スピンアップに要する時間を短縮することができる。
【００１９】
また上記構成の光ディスク装置において、メディアタイプ群は、光ディスクの種類毎に、所定層数以上の情報記録層を有するメディアタイプからなるメディアタイプ群と所定層数未満の情報記録層を有するメディアタイプからなるメディアタイプ群の２つに分類されていることが望ましい。
【００２０】
この構成によれば、光ディスクの種類毎にメディアタイプ群が２つに分類されているだけなので、光ディスク判別部が光ディスクの情報記録層の層数を誤判別にした際にオフセット調整処理が不能となる可能性を低くすることができる。
【００２１】
また上記構成の光ディスク装置において、前記制御部は、前記光ディスク判別部によって、前記光ディスクの種類がＢＤであると判別されたときは、当該ＢＤの情報記録層の層数が３層以上であるか否かに基づいて、当該ＢＤが属するメディアタイプ群がＢＤＸＬであるか否かを判定し、前記ＢＤが属するメディアタイプ群がＢＤＸＬであると特定されたときにはＢＤＸＬについて前記エラー信号生成回路にトラッキングエラー信号及び／又はフォーカスエラー信号を生成させ、前記ＢＤが属するメディアタイプ群がＢＤＸＬでないと特定されたときにはＢＤＳＬ及びＢＤＤＬについて前記エラー信号生成回路にトラッキングエラー信号及び／又はフォーカスエラー信号を生成させることが望ましい。
【００２２】
この構成によれば、光ディスクがＢＤであるときに、ＢＤＸＬであるか否かによってオフセット調整を行うので、ＢＤＳＬ又はＢＤＤＬにＢＤＸＬ用の強いレーザー光を照射されることがなく、既記録部分が消去されたり、情報記録層が破壊されたりすることがない。
【００２３】
また上記構成の光ディスク装置において、前記制御部は、前記光ディスク判別部によって、前記光ディスクの種類がＤＶＤであると判別されたときは、当該ＤＶＤの情報記録層の層数が２層以上であるか否かに基づいて、当該ＤＶＤが属するメディアタイプ群がＤＶＤＤＬであるか否かを判定し、前記ＤＶＤが属するメディアタイプ群がＤＶＤＤＬであると特定されたときにはＤＶＤＤＬについて前記エラー信号生成回路にトラッキングエラー信号及び／又はフォーカスエラー信号を生成させ、前記ＤＶＤが属するメディアタイプ群がＤＶＤＤＬでないと特定されたときにはＤＶＤＳＬについて前記エラー信号生成回路にトラッキングエラー信号及び／又はフォーカスエラー信号を生成させることが望ましい。
【００２４】
この構成によれば、光ディスクがＤＶＤであるときに、ＤＶＤＤＬであるか否かによってオフセット調整を行うので、ＤＶＤＳＬにＤＶＤＤＬ用の強いレーザー光を照射されることがなく、既記録部分が消去されたり、情報記録層が破壊されたりすることがない。
【００２５】
また上記構成の光ディスク装置において、前記制御部は前記オフセット調整手段によるオフセット調整が行われた後に、前記光ディスクからメディアタイプを示す情報を含むアドレス情報を取得して、仮決定したメディアタイプと一致するか否かを判定し、仮決定したメディアタイプと一致しないときは、取得したメディアタイプのトラッキングエラー信号及び／又はフォーカスエラー信号に対してオフセット調整を行うことが望ましい。
【００２６】
この構成によれば、仮決定した光ディスクのメディアタイプと、取得したアドレス情報に含まれる光ディスクのメディアタイプとが一致しないときには、オフセット調整手段に、アドレス情報から取得した光ディスクのメディアタイプに関するトラッキングエラー信号及び／又はフォーカスエラー信号に対してオフセット調整を行わせるので、情報の再生や記録をスムーズに行うことができる。
【発明の効果】
【００２７】
本発明によれば、制御部は、種類が特定された光ディスクが、予め分類されている複数のメディアタイプ群のいずれのメディアタイプ群に属するものであるか否かを特定し、特定されたメディアタイプ群についてエラー信号生成回路にトラッキングエラー信号とフォーカスエラー信号の少なくとも一方を生成させる。また、制御部は、光ディスクのメディアタイプを仮決定して、オフセット調整手段に、仮決定されたメディアタイプに関するトラッキングエラー信号及び／又はフォーカスエラー信号に対してオフセット調整を行わせる。従って、エラー信号生成回路にトラッキングエラー信号及び／又はフォーカスエラー信号を生成させるメディアタイプの数が制限されるので、スピンアップに要する時間を短縮することができる。
【図面の簡単な説明】
【００２８】
【図１】は、本発明の光ディスク装置の構成を示すブロック図である。
【図２】は、本発明の光ディスク装置の制御部が実行する処理の流れを示す第１のフローチャートである。
【図３】は、本発明の光ディスク装置の制御部が実行する処理の流れを示す第２のフローチャートである。
【発明を実施するための形態】
【００２９】
以下に本発明の光ディスク装置について図面を参照して説明する。但し、以下に示す実施形態は、本発明の技術的思想を具体化するために本発明の光ディスク装置の一例を示すものであって、本発明をこの光ディスク装置に特定することを意図するものではなく、特許請求の範囲に含まれるその他の実施形態の装置にも等しく適応し得るものである。
【００３０】
図１は、本発明の光ディスク装置の構成を示すブロック図である。光ディスク装置１は制御部２、操作部３、表示部４、光ピックアップ５、スピンドルモータ６、光ディスク判別部８、フォーカスエラー信号生成回路９、トラッキングエラー信号生成回路１０などを備えている。なお、本実施形態において光ディスク装置１は、ＤＶＤやＢＤなど複数種類の光ディスクが再生可能である。また、ＢＤに対しては、情報記録層の層数が１層〜４層のいずれのＢＤも再生可能である。
【００３１】
制御部２は光ディスク装置１全体を総括的に制御する制御手段である。制御部２はＣＰＵとＲＯＭとＲＡＭ（いずれも不図示）とを含んでいる。ＲＯＭには制御部２が実行するプログラム、プログラムの実行に必要なパラメータやデータが記憶されている。ＣＰＵはＲＯＭに記憶されている各種プログラムを実行する。ＲＡＭは各種処理の過程で得られるデータや各種処理の結果得られるデータを一時的に格納する。これらＣＰＵ、ＲＡＭ、ＲＯＭ等は、バスを介して接続されている。なお、ＣＰＵ、ＲＯＭ及びＲＡＭはこれらの一部または全部を１チップに集積化しても構わない。
【００３２】
操作部３は、光ディスク装置１が有する各種機能を使用するための操作手段である。操作部３としては、光ディスク装置１本体に各種のキーやボタンを設けてもよいし、後述する表示部４にタッチパネル機能を付加してもよい。また、操作部３として光ディスク装置１本体を遠隔操作するためのリモートコントローラを操作部３として用いても構わない。
【００３３】
表示部４は、画像を表示するものである。表示部４は、制御部２から映像データ、トラック情報、ファイル情報が供給され、これらのデータ、情報に基づいて、映像や文字等を表示する。表示部４は光ディスク装置１本体に設けてもよいし、光ディスク装置１に無線又は有線で接続された、例えば、液晶ディスプレイ、ＥＬ（Electro-Luminescence）ディスプレイを備える表示装置であってもよい。
【００３４】
光ピックアップ５は、光ディスクからデータを読み出すためのものであり、レーザーダイオード５１と、対物レンズ５２と、アクチュエータ５３と、受光素子５４と、不揮発性メモリ５５とを備えている。
【００３５】
レーザーダイオード５１は、光ディスクに照射するためのレーザー光（光ビーム）を発する光源である。レーザーダイオード５１は、ＤＶＤ再生用レーザー及びＢＤ再生用レーザーなど光ディスクの種類に応じて選択的にレーザー光を射出する。対物レンズ５２は、レーザーダイオード５１から射出されたレーザー光を光ディスクの記録面（光ディスクに設けられている情報記録層）に集束させ、また、光ディスクによって反射されたレーザー光（反射光）を平行光にするためのレンズである。
【００３６】
アクチュエータ５３は、対物レンズ５２の位置を制御するものである。受光素子５４は、反射光を受光し、反射光の強度を検出して電気信号に変換するものである。不揮発性メモリ５５は、制御部２からメディアタイプ毎の再生時最適オフセット値、記録時最適オフセット値を受け、これらのオフセット値を記憶する。また、制御部２の要求に従ってこれらのオフセット値を制御部２に提供する。
【００３７】
スピンドルモータ６は、ターンテーブルやクランプ機構にて保持する光ディスクを、所定の回転速度で回転駆動する。スピンドルモータ６はスピンドルドライバ７によって駆動され、スピンドルドライバ７は制御部２からの指示に基づいてスピンドルモータ６を駆動する。
【００３８】
光ディスク判別部８は光ディスク装置１に装着された光ディスクの種類及び情報記録層の層数を判別する。光ディスクの種類及び情報記録層の層数を判別する方法は例えばフォーカスサーチによって行われる。本発明では説明の簡略化のために、光ディスク判別部８を制御部２とは別構成としているが、制御部２が光ディスク判別部８を備える構成としてもよい。
【００３９】
具体的には、レーザーダイオード５１から射出されたレーザー光を、対物レンズ５２を介して光ディスクに照射しながら、対物レンズ５２を光軸方向に等速で上下に移動させてレーザー光の焦点位置を光ディスクの光入射面と記録層とを含む範囲で制御し光ディスクからの反射光から信号を検出するフォーカスサーチ動作時に、光ディスクの表面と記録層とで発生するフォーカスエラー信号中のフォーカスＳ字信号やデータ信号（又は、和信号）中のパルス波形の出現間隔を用いて透明基板の厚さを測定することで光ディスクの種類を判別する。また、フォーカスサーチ動作時のフォーカスＳ字信号の発生回数で情報記録層の層数を判別する。
【００４０】
なお、光ディスクの種類及び情報記録層の層数を判別する方法は上述したものに限られず、例えば受光素子５４が受光する反射光の状態（レーザーダイオード５１から射出されたレーザー光に対する反射率）に基づいて行われることとしてもよい。
【００４１】
フォーカスエラー信号生成回路９は受光素子５４からの受光信号に基づいてフォーカスエラー信号を生成し、オフセット加算回路（オフセット調整手段）１２に出力する。トラッキングエラー信号生成回路１０は受光素子５４からの受光信号に基づいてトラッキングエラー信号を生成し、オフセット加算回路（オフセット調整手段）１３に出力する。
【００４２】
なお、本発明においては説明の簡略化のため、フォーカスエラー信号生成回路９とトラッキングエラー信号生成回路１０を別個の構成としているが、フォーカスエラー信号やトラッキングエラー信号などを生成するサーボエラー信号生成回路を備えることとしてもよい。
【００４３】
オフセット発生回路１１は、制御部２に制御されて所定のオフセット信号を発生させる。オフセット発生回路１１から出力されたオフセット信号はそれぞれオフセット加算回路１２、オフセット加算回路１３に入力される。
【００４４】
オフセット加算回路（オフセット調整手段）１２は、フォーカスエラー信号（エラー値）とオフセット発生回路１７から入力されるオフセット信号（オフセット値）を加算し、オフセットを調整する。オフセット加算回路（オフセット調整手段）１３は、トラッキングエラー信号（エラー値）とオフセット発生回路１７から入力されるオフセット信号（オフセット値）を加算し、オフセットを調整する。
【００４５】
位相補償回路１４は、オフセット加算回路１２の出力信号が、制御部２によって一定の振幅となるようにゲイン調整されてから入力され、当該入力信号に対して位相補償を行ってフォーカス制御信号を生成し、フォーカスアクチュエータドライバ８に出力する。位相補償回路１５は、オフセット加算回路１３の出力信号が、制御部２によって一定の振幅となるようにゲイン調整されてから入力され、当該入力信号に対して位相補償を行ってトラッキング制御信号を生成し、トラックアクチュエータドライバ９に出力する。
【００４６】
トラックアクチュエータドライバ１６及びフォーカスアクチュエータドライバ１７は、それぞれ後述するトラッキング制御信号、フォーカス制御信号に基づいてアクチュエータ５３に駆動信号を出力する。
【００４７】
[第１実施形態]
本発明の光ディスク装置１の第１実施形態について図２を用いて説明する。図２は、本発明の光ディスク装置の制御部が実行するスピンアップ処理の流れを示す第１のフローチャートである。
【００４８】
ステップＳ０１において制御部２は、光ディスク判別部８に、光ディスク装置１に装着された光ディスクの種類及び情報記録層の層数を判別させる。なお、光ディスクの種類とは、ＤＶＤやＢＤなどの光ディスクの規格のことである。光ディスクの層数は、後述するメディアタイプによって異なり、多層化することによって１枚の光ディスクに記憶可能なデータの量（容量）が大きくなる。
【００４９】
ステップＳ０２において制御部２は、ステップＳ０１で判別された光ディスクの種類及び情報記録層の層数に基づいて、光ディスク装置１に装着された光ディスクが、所定層数以上の情報記録層を有するメディアタイプからなるメディアタイプ群に属するか否かを判定する。メディアタイプが有する情報記録層の層数は、光ディスクの種類によって上限値（最大層数）が異なるため、所定層数は特に限定されるものではなく、任意に定めることができる。また、光ディスクの種類に応じて所定層数を別々に定めることとしてもよい。
【００５０】
メディアタイプとは同一種類の光ディスクにおいて、仕様及び層数に基づいて定められるものであり、上述したようにＢＤの場合には、メディアタイプとして１層〜２層のＢＤ−ＲＯＭ、１層〜４層のＢＤ−Ｒ、１層のＢＤ−ＬＴＨ、１層〜４層のＢＤ−ＲＥの合計１１種類が実用化されている。
【００５１】
光ディスク装置１に装着された光ディスクが、所定層数以上の情報記録層を有するメディアタイプからなるメディアタイプ群に属するものであれば（ステップＳ０２のＹ）ステップＳ０３に進み、光ディスク装置１に装着された光ディスクが、所定層数以上の情報記録層を有するメディアタイプからなるメディアタイプ群に属するものでなければ（ステップＳ０２のＮ）ステップＳ０４に進む。
【００５２】
ステップＳ０３において制御部２は、フォーカスエラー信号生成回路９及びトラッキングエラー信号生成回路１０に対して、所定層数以上の情報記録層を有するメディアタイプからなるメディアタイプ群についてエラー信号を生成させ、また、オフセット発生回路１１にオフセット信号を生成させてステップＳ０５に進む。
【００５３】
ステップＳ０４において制御部２は、フォーカスエラー信号生成回路９及びトラッキングエラー信号生成回路１０に対して、所定層数未満の情報記録層を有するメディアタイプからなるメディアタイプ群についてエラー信号を生成させ、また、オフセット発生回路１１にオフセット信号を生成させてステップＳ０６に進む。
【００５４】
ステップＳ０５、ステップＳ０６において制御部２は、光ディスク装置１に装着された光ディスクがどのディスクタイプであるかについて仮決定する（仮決めを行う）。そして仮決定されたメディアタイプのエラー信号とオフセット信号とをオフセット加算回路１２、オフセット加算回路１３に入力し、オフセット加算回路１２、オフセット加算回路１３にオフセット調整を行わせる。
【００５５】
光ディスク装置１に装着された光ディスクのメディアタイプを仮決定する方法は特に限られるものではないが、例えば、トラッキングエラー信号とオフセット信号に基づいて行われる。具体的には、光ディスクはメディアタイプによって溝深さ（溝の断面の中心部における上部開口部から溝底部までの長さである）が異なることにより、トラッキングエラー信号に重畳されるオフセット信号が異なる。
【００５６】
つまり、溝深さが深いメディアタイプは溝深さが浅いメディアタイプに比べてトラッキングエラー信号に重畳されるオフセット信号の割合が小さい。従って、トラッキングエラー信号とオフセット信号に基づいてトラッキングエラー信号に重畳されるオフセット信号の割合を算出し、所定値と比較した結果の大小関係より、光ディスクのメディアタイプを判別することができ、光ディスクのメディアタイプが仮決定される。
【００５７】
ステップＳ０７において制御部２は、ステップＳ０５で仮決定されたメディアタイプに対するパワーでレーザー光を射出する。ステップＳ０８において制御部２は、ステップＳ０６で仮決定されたメディアタイプに対するパワーでレーザー光を射出する。
【００５８】
ステップＳ０９において制御部２は、光出力の自動調整を行う。ステップＳ１０において制御部２は、光ディスクの物理情報を取得し、ステップＳ１１において、光ディスク装置１に装着された光ディスクがどのメディアタイプであるか（例えば２層のＢＤ−Ｒである）が特定される。
【００５９】
ステップＳ１２において制御部２は、ステップＳ０５又はステップＳ０６で仮決定されたメディアタイプとステップＳ１１で特定されたメディアタイプとが一致するか否かを判定する。メディアタイプが一致する場合（ステップＳ１２のＹ）にはスピンアップ処理を終了し、メディアタイプが一致しない場合（ステップＳ１２のＮ）にはステップＳ１３に進む。
【００６０】
ステップＳ１３において制御部２は、ステップＳ１１で特定されたメディアタイプについてオフセット調整を行うと共にレーザー光の射出、自動調整等のシーケンス処理を行い、スピンアップ処理を終了する。
【００６１】
本実施形態によれば、種類が特定された光ディスクが、所定層数以上の層数を有するメディアタイプからなるメディアタイプ群に属するものであるか否かを判定し、層数が所定層数以上であれば、所定層数以上のメディアタイプからなるメディアタイプ群のみについてフォーカスエラー信号生成回路９及びトラッキングエラー信号生成回路１０にエラー信号を生成させ、また、オフセット発生回路１１にオフセット信号を生成させる。一方、層数が所定層数未満であれば、所定層数未満のメディアタイプからなるメディアタイプ群のみについてフォーカスエラー信号生成回路９及びトラッキングエラー信号生成回路１０にエラー信号を生成させ、また、オフセット発生回路１１にオフセット信号を生成させる。このように、エラー信号、オフセット信号を生成させるメディアタイプを限定することによって、スピンアップに要する時間を短縮することができる。
【００６２】
[第２実施形態]
本発明の光ディスク装置１の第２実施形態について図３を用いて説明する。図３は、本発明の光ディスク装置の制御部が実行するスピンアップ処理の流れを示す第２のフローチャートである。なお、本実施形態のステップＳ２５〜ステップＳ３３は、第１実施形態のステップＳ１５〜ステップＳ２３と同一であるため説明を省略する。本実施形態では、光ディスクがＢＤであるときの制御部２が実行する処理の流れについて説明する。
【００６３】
ステップＳ２１において制御部２は光ディスク装置１に装着された光ディスクがＢＤか否かを判定する。光ディスク装置１に装着された光ディスクがＢＤであればステップＳ２２に進み、光ディスク装置１に装着された光ディスクがＢＤでなければステップＳ２１に戻る。
【００６４】
なお、本実施形態では説明の簡略化のために、光ディスク装置１に装着された光ディスクがＢＤでないときにステップＳ２１に戻ることとしているが、光ディスク装置１に装着された光ディスクがＤＶＤであるか否かなどの判定に進むこととして、光ディスクの種類を特定し、特定された光ディスクの種類について、第１実施形態のステップＳ０２以降の処理を行うこととしてもよい。
【００６５】
ステップＳ２２において制御部２は、光ディスク装置１に装着されたＢＤが、ＢＤＸＬであるか否かを判定する。ＢＤＸＬとは、上述したように情報記録層が３層以上のＢＤである（以下、情報記録層が３層以上のＢＤを「ＢＤＸＬ」という。）。すなわち本ステップにおいて制御部２は、そのＢＤが３層以上の情報記録層を有するＢＤであるか否かを判定する。
【００６６】
ここで本実施形態において所定層数を３層とした理由について説明する。一般に多層化光ディスクは、反射層におけるレーザー光の反射率が低くなるために、情報を再生する場合には再生用レーザー光のパワーを高く設定し、強いレーザー光を照射することが行われる。
【００６７】
特にＢＤにおいては、情報記録層が３層以上のＢＤに対して照射されるレーザー光のパワーは、情報記録層が２層以下のＢＤに対して照射されるレーザー光のパワーに比べて非常に高くなっている。
【００６８】
従って、仮に情報記録層が１層のＢＤ（以下、情報記録層が１層のＢＤを「ＢＤＳＬ」という。）又は情報記録層が２層のＢＤ（以下、情報記録層が１層のＢＤを「ＢＤＤＬ」という。）を、情報記録層が３層のＢＤ（以下、情報記録層が３層のＢＤを「ＢＤＴＬ」という。）と誤認識し、ＢＤＳＬ又はＢＤＤＬに対してＢＤＴＬに対するレーザー光を照射すると、既記録部分が消去されたり、情報記録層が破壊されたりするという問題があった。そこで本実施形態では、所定層数以上を３層以上としている。
【００６９】
ステップＳ２３において制御部２は、フォーカスエラー信号生成回路９及びトラッキングエラー信号生成回路１０に対して、ＢＤＸＬについてエラー信号を生成させ、また、オフセット発生回路１１にオフセット信号を生成させてステップＳ１５に進む。ステップＳ１４において制御部２は、フォーカスエラー信号生成回路９及びトラッキングエラー信号生成回路１０に対して、ＢＤＸＬ以外のＢＤ（例えばＢＤＳＬ）についてエラー信号を生成させ、また、オフセット発生回路１１にオフセット信号を生成させてステップＳ１６に進む。
【００７０】
なお、現在実用化されているＢＤにおいてＢＤＸＬは、３層〜４層のＢＤ−Ｒ、３層〜４層のＢＤ−ＲＥの４種類であり、ＢＤＸＬ以外のＢＤは、１層〜２層のＢＤ−ＲＯＭ、１層〜２層のＢＤ−Ｒ、１層〜２層のＢＤ−ＲＥ、１層のＢＤ−ＬＴＨの７種類である。
【００７１】
本実施形態によれば、第１実施形態と同様の効果を奏する。加えて、レーザー光のパワーが非常に強いＢＤＸＬであるか否かで処理が異なるので、ＢＤＸＬ用のレーザー光がＢＤＳＬなどＢＤＸＬ以外のＢＤに照射されることによって、既記録部分が消去されたり、情報記録層が破壊されたりすることがない。
【００７２】
[その他]
上記第２実施形態では光ディスクがＢＤである場合について説明したが、その他の種類の光ディスク（ＤＶＤ、ＣＤ、ＨＤ−ＤＶＤなど）について、情報記録層の層数に基づいてエラー信号、オフセット信号を生成させるメディアタイプを限定し、スピンアップに要する時間を短縮することとしてもよい。例えばＤＶＤであれば、情報記録層の層数が２層以上であるか否か（ＤＶＤの層数が１層（ＤＶＤＳＬ）であるか、２層（ＤＶＤＤＬ）あるか）によって、エラー信号、オフセット信号を生成させるメディアタイプを制限することとしてもよい。
【００７３】
また、上記第１実施形態及び第２実施形態において、情報記録層の層数が所定層数以上であるか否か、すなわちメディアタイプを光ディスクの種類毎に２つのメディアタイプ群に分類して、光ディスク装置１に装着された光ディスクがいずれのメディアタイプ群に属するかに基づいて処理を行うこととしたが、光ディスクの種類毎の分類数はこれに限られず３つ以上のメディアタイプ群に分類するものであってもよい。
【００７４】
また、上記第１実施形態及び第２実施形態において、ＢＤのメディアタイプを１１種類としているが、これは現在実用化されているＢＤを基準として記載したものであり、メディアタイプをこの１１種類に限る意図ではない。例えばＢＤ−ＲＯＭについては８層構造まで実用可能とされている。従って新たなメディアタイプが実用化されたときには、それらメディアタイプも含まれる。
【産業上の利用可能性】
【００７５】
本発明は、ＢＤなどの光ディスクに対応してデータの記録再生を行う光ディスク装置に利用できる。
【符号の説明】
【００７６】
１    光ディスク装置
２    制御部
５    光ピックアップ
６    スピンドルモータ
９    フォーカスエラー信号生成回路
１０  トラッキングエラー信号生成回路
１２  オフセット加算回路（オフセット調整手段）
１３  オフセット加算回路（オフセット調整手段）
【図１】
2013004121.tif 000003
【図２】
2013004121.tif 000004
【図３】
2013004121.tif 000005